(57)【要約】      （修正有）【課題】線状体の緊張状態を維持できると共に線状体の端部とレール部材との取付け箇所において、取付けのために介在する部材が露出しない線状体を張設した装飾装置を提供する。【解決手段】二点間に線状体を緊張状態で張設した構造であって、前記二点のうち少なくとも一点側はレール部材３，４とし、このレール部材は中空で長手方向に沿ったスリット１３，１４を有し、線状体（ケーブル６）はその端部を前記スリットから前記レール部材の中空部に差込み、その端部を前記中空部に配置され内部へ引き込む弾力部材（テーパースプリング１６）を介してレール部材へ取付けられている。【選択図】図２
0003209916.tif 000002
【実用新案登録請求の範囲】
【請求項１】
二点間で線状体が緊張状態で取付けられており、
前記二点の一点側はレール部材であり、
レール部材は中空であって長手方向に沿ったスリットを有し、
線状体は、その端部が前記スリットからレール部材の中空部に配置され、この端部を前記中空部に配置され内部へ引き込む弾力部材を介してレール部材へ取付けられていることを特徴とした線状体を張設した装飾装置。
【請求項２】
間隔を置いて配置された２本のレール部材間に線状体が緊張状態で取付けられており、
レール部材はいずれも中空であって長手方向に沿ったスリットを有し、
線状体は、少なくとも一方のレール部材において、その端部が前記スリットからレール部材の中空部に配置され、この端部を前記中空部に配置され内部へ引き込む弾力部材を介してレール部材へ取付けられていることを特徴とした線状体を張設した装飾装置。
【請求項３】
線状体の端部をレール部材のスリットに沿って摺動させて位置の調整が可能な請求項１に記載の線状体を張設した装飾装置。
【請求項４】
線状体の端部は弾力部材を貫通して取付けられ、貫通側で弾力部材に係合しており、弾力部材の弾力によって線状体の端部がレール部材の前記スリットと対向した側の壁内面に圧接されていることを特徴とした請求項１に記載の線状体を張設した装飾装置。
【請求項５】
線状体は、ケーブルに樹脂線材をスパイラルに巻きつけた構造であることを特徴とした請求項1に記載の線状体を張設した装飾装置。
【考案の詳細な説明】
【技術分野】
【０００１】
本考案は、ケーブル、ワイヤー、紐などのような線状体を張設した装飾装置に関する。
【背景技術】
【０００２】
二点間に線状体を張設した装飾装置は、インテリア、エクステリアおよびショウウインドウの装飾に用いられている。利用の形態としては線状体そのものの色、配置（張設方向の組み合わせ）による場合や線状体に植物を絡ませたり、装飾物を取付けたりしている。
特許文献１は、壁面の緑化（装飾）に用いている例であり、特許文献２は、展示装置の例である。
【０００３】
特許文献１の緑化装置では、建物壁面にレール部材２を上下に間隔をあけて固定し、上下のレール部材２間にワイヤ３（ケーブル）が張設されている。レール部材２は中空で上面側と下面側にレール部材２の長手方向に沿ったスリット１４，１５を有し、ワイヤ３の上端に取付けたバネフック２４と下端に取付けたチャック３０とバネフック２５を介して張設されている。前記上端のバネフック２４は、レール部材２の中空部に配置されたスライド板によって、レール部材２の下面側スリット１５に沿って移動し、位置の調整が可能なアイボルト５３に係合している。下端のバネフック２５も同様な構造で下のレール部材２に係合されている。
【０００４】
特許文献２の展示装置は、基体２にフレーム３の基部を固定し、フレーム３の上横フレーム８（レール部材）と下横フレーム９（レール部材）間に複数のワイヤー４を張設したものである。ワイヤー４を上下の横フレーム３，８へ取付ける構造は、前記特許文献１の場合と同じである。
【先行技術文献】
【特許文献】
【０００５】
【特許文献１】特開２０１２−５５１８０号公報
【特許文献２】特開２０１４−１４５６３号公報
【考案の概要】
【考案が解決しようとする課題】
【０００６】
二点間に線状体を張設した装飾装置では、二点間で線状体を常時緊張させておくことが好ましいので、通常、線状体の端部にバネフックのようなバネを介在させて取付ける。  取付け方は前記のように中空のレール部材や断面が垂直片と水平片とからなるアングル材を利用したりしている。
【０００７】
しかし、従来の構造は線状体の端部とレール部材との間に介在させる部材（例えば、前記のバネフック）が外部に露出しており、線状体を張設した装飾装置として繊細な外観が要求される状況では不都合な場合があった。
【０００８】
すなわち、この考案は、線状体の緊張状態を維持できると共に線状体の端部とレール部材との取付け箇所において、取付けのために介在する部材が露出しない構造を提供して、前記の不都合を解決することを課題とする。
【課題を解決するための手段】
【０００９】
二点間に線状体を緊張した構造とする。
前記二点のうち一点側はレール部材とし、レール部材は中空で長手方向に沿ったスリットを有する。
線状体は、その端部を前記スリットからレール部材の中空部に差込み、その端部を前記中空部に配置され内部へ引き込む弾力部材を介してレール部材へ取付ける。
【００１０】
前記の二点は、間隔を置いて配置された２本のレール部材との取付け箇所の場合がある。
線状体の端部をレール部材のスリットに沿って摺動させて、線状体の位置を調整可能な構成とすることがある。
【００１１】
線状体の端部は弾力部材を貫通させて貫通側で弾力部材に係合させることがある。そして、弾力部材の弾力によって線状体の端部をレール部材の前記スリットと対向した側の壁内面に圧接させることがある。圧接によって、線状体の位置をレール部材に対して仮固定できる。
線状体は、ケーブルに樹脂線材をスパイラルに巻きつけた構造とすることがある。
【考案の効果】
【００１２】
レール部材に線状体端部を取付ける部材が外部に露出せず、線状体を張設した装飾体の外観がすっきりとしたものとなり、課題が解決される。
【図面の簡単な説明】
【００１３】
【図１】線状体を張設した装飾装置（実施例１）を概略で示した斜視図。
【図２】レール部材とケーブルの取付け状態を示した縦断面図（ハッチングを省略している）。
【図３】上レール部材の箇所を拡大して示した縦断面図。
【図４】上レール部材の一部を略正面から見た斜視図。
【図５】中継箇所の連結状態を示した縦断面図（ハッチングを省略している）。
【図６】他の取付け状態（実施例２）を示した縦断面図（ハッチングを省略している）。
【図７】実施例３を概略で示した斜視図。
【図８】実施例４を概略で示した斜視図。
【考案を実施するための形態】
【００１４】
〔実施例１〕
図１は、建物１の壁面緑化として施工された線状体を張設した装飾装置２である。
線状体を張設した装飾装置２は、建物１の壁面へ上下に間隔を置いて水平に固定したレール部材３，４とこれらの間に配置され、やはり壁面へ固定された中間レール部材５、及びレール部材３−５，５−４間に張設した複数本のケーブル６（線状体）を備える。
【００１５】
レール部材３−５はこの実施例において同一の断面構造と長さを持つアルミ合金の型材であり、建物１の壁面へブラケット７を用いて固定されている（図２，３）。
レール部材３−５の断面は、図３に示すように、上下左右の壁８−１１からなる四角形の中間に左右の壁１０−１１に渡る中間壁１２を備え、上下の壁８，９にスリット１３，１４がそれぞれレール部材３−５の長手方向に沿って形成されている。スリット１３によって上壁８は両側の上壁部分８ａ，８ｂとなっており、同様に、スリット１４によって下壁９は両側の下壁部分９ａ，９ｂとなっている。
【００１６】
ケーブル６は、この実施例１においてステンレス細線を撚り合わせたφ５．８のもので表面にナイロンコーティングを施し、さらにその上に樹脂の線材をスパイラルに巻きつけてある（図２，３）。
ケーブル６は、ワッシャ１５とテーパースプリング１６に貫通させたのち上端にストッパー１７を固定して抜け止めされており、ワッシャ１５とテーパースプリング１６（弾力部材）及びストッパー１７をまとめて上レール部材３の端部から中間壁１２の下方空間１８に嵌めこむ。
【００１７】
ストッパー１７はかしめによってケーブル６に固定されケーブル６の端部となっている。
ワッシャ１５の外形は前記スリット１４の間隔よりも大きく、ストッパー１７はテーパースプリング１６の上縁に係合できる大きさとなっている。
そして、テーパースプリング１６は弾発したとき、スリット１４の両側の下壁部分９ａ，９ｂを基準にストッパー１７を中間壁１２の下面へ圧接できる規格のものである。
【００１８】
上レール部材３の前記下方空間１８では、テーパースプリング１６によってワッシャ１５が下壁部分９ａ，９ｂに圧接され、また、ストッパー１７が中間壁１２に圧接されているので、両箇所の摩擦によってケーブル６の上部が上レール部材３に仮固定された状態となっている。しかし、ケーブル６を下方に引いてテーパースプリング１６を圧縮するとストッパー１７が中間壁１２から離れて、ケーブル６をスリット１４に沿って移動させることができる。ワッシャ１５とテーパースプリング１６（弾力部材）及びストッパー１７からなる部分は、位置調整を可能にするランナーの機能といえる。
【００１９】
ケーブル６の下端は（図２）、フックスプリング１９を介して下レール部材４に取付けられたアイボルト２０のリング部２１に係止される。アイボルト２０は下レール部材４のスリット１３を通して下レール部材４の中間壁１２よりも上方空間２７に配置されたスライダー２２と一体とされており、上壁部分８ａ，８ｂを挟んで取付けられたナット２３を備えている。このため、ナット２３を緩めることでアイボルト２０をスリット１３に沿って移動させ、ナット２３を締めることでアイボルト２０をその位置に固定することができる。
図２において、符号２４は、ケーブルグリップであって、楔機構を用いたチャック構造によってケーブル６の長さを調整し固定することが出来るものである。
【００２０】
上レール部材３は、その上面のスリット１３を介して中間壁１２よりも上方空間２７（図３）に配置したスライダー２５と上壁部分８ａ，８ｂを介して取付けたナット２６によりブラケット７を固定し、このブラケット７の他端を建物１の壁面へ固定することで、建物１の壁面に取付けられる。
下レール部材４は、その下面のスリット１４を介して中間壁１２よりも下方空間１８に配置したスライダー２５と下壁部分９ａ，９ｂを介して取付けたナット２６によりブラケット７を固定し、このブラケット７の他端を建物１の壁面へ固定することで、建物１の壁面に取付けられる。
【００２１】
このようにして、ケーブル６が上レール部材３と下レール部材４の二点間に緊張状態で張設される。そして、少なくとも上レール部材３とケーブル６との取付け箇所では、上レール部材３にケーブル６の端部を取付ける部材が外部に露出せず、ケーブル６（線状体）を張設した装飾体の外観がすっきりとしたものとなる（図４）。
【００２２】
なお、中間レール部材５（図５）では、下方のケーブル６の上端が下方空間１８に図２の場合と同様にテーパースプリング１６と共に取付けられ、上方空間２７に上方のケーブル６の下端を取付けるアイボルト２０が取付けられ、図２におけるケーブル６の上端取付け構造と下端取付け構造が１本の中間レール部材５に集約された格好となっている。
【００２３】
〔実施例２〕
図６は、線状体を張設した装飾装置２がインテリアとして使用される実施例２であって、コ字状のブラケット７によってケーブル６の一端が天井吊りとなっている。
このように線状体を張設した装飾装置は壁面緑化以外の用途にも利用される。
【００２４】
〔実施例３〕
図７は線状体を張設した装飾装置２の実施例３であり、枠形のフレーム２８に複数のケーブル６が張設されている。フレーム２８は、アルミ合金の型材からなる上枠２９、下枠３０、および左右の縦枠３１，３２を備えた矩形である。上枠２９が実施例１の上レール部材３に、下枠３０が下レール部材４に相当する。他の構成は実施例１と同様であって、上下の枠２９、３０の間に複数本のケーブル６が張設されている。
フレーム２８は、ベース３３に固定されて自立するので、この種の線状体を張設した装飾装置２は、ケーブル６につる性植物を伝わらせるなどしてインテリアとして使用されることが多い。
【００２５】
〔実施例４〕
図８は、二点間にケーブル６（線状体）を緊張させる構造であって、ケーブル６を取付ける二点のうち一点側だけを中空の型材からなる上レール部材３とした実施例４である。取付け構造は前記実施例１の上レール部材３に関するものと同じである。見る者の視線が上レール部材３に集中する場合に本願の効果が発揮される。
なお、下レール部材４に相当する部材はステンレスの細いパイプで構成されている。
【００２６】
以上、実施例について説明した。
ケーブル６をレール部材３，４に取付ける構造は説明したものに限定されない。レール部材３，４に沿って移動が可能であって、レール部材３，４から外部へ露出しないものであればよい。
レール部材３，４に対してケーブル６の位置を仮固定できる構造は必ずしも必要としない。
ケーブル６の材質、構造、太さ、長さは限定されない。
弾力部材は、テーパースプリングに限らない。コイルスプリングや他の構造のスプリングあるいはゴムなどの素材からなるものであっても良い。
線状体を張設した装飾装置２は、緑化の目的、インテリアの他、エクステリアなど他の目的にも使用できる。
【符号の説明】
【００２７】
１  建物
２  線状体を張設した装飾装置
３  上レール部材
４  下レール部材
５  中間レール部材
６  ケーブル
７  ブラケット
８  上壁
８ａ，８ｂ  上壁部分
９  下壁
９ａ，９ｂ  下壁部分
１０  左壁
【００２８】
１１  右壁
１２  中間壁
１３  スリット（上）
１４  スリット（下）
１５  ワッシャ
１６  テーパースプリング
１７  ストッパー
１８  下方空間
１９  フックスプリング
２０  アイボルト
【００２９】
２１  リング部
２２  スライダー
２３  ナット
２４  ケーブルグリップ
２５  スライダー
２６  ナット
２７  上方空間
２８  枠形のフレーム
２９  上枠
３０  下枠
【００３０】
３１  左枠
３２  右枠
３３  ベース
【図１】
0003209916.tif 000003
【図２】
0003209916.tif 000004
【図３】
0003209916.tif 000005
【図４】
0003209916.tif 000006
【図５】
0003209916.tif 000007
【図６】
0003209916.tif 000008
【図７】
0003209916.tif 000009
【図８】
0003209916.tif 000010